(57)【特許請求の範囲】
【請求項１】
ディスプレイ部と、
外部映像装置からコンテンツデータ及び前記コンテンツデータに関するコンテンツタイプ情報を受信する受信部と、
コンテンツタイプ別にマッチするフレームサイズ情報が保存される保存部と、
前記コンテンツデータに基づいて映像フレームを獲得し、前記保存部に保存された前記コンテンツタイプ情報に対応する前記フレームサイズ情報を用いて、前記映像フレームのフレームサイズを調整して表示するように前記ディスプレイ部を制御するビデオ処理部と、
を含み、
前記ビデオ処理部は、
前記コンテンツデータが第１タイプコンテンツである場合、前記映像フレームのフレームサイズが前記ディスプレイ部のディスプレイ領域より大きくなるようにサイズを調整し、前記ディスプレイ領域に前記調整された映像フレームの一部領域のみを表示する、ディスプレイ装置。
【請求項２】
設定命令を入力されるための入力部と、
前記設定命令が入力されると、コンテンツタイプ別にフレームサイズを設定するためのＵＩをディスプレイするように前記ディスプレイ部を制御し、前記ＵＩ上においてフレームサイズが設定されると、設定されたフレームサイズ情報を前記保存部に保存する制御部と
を更に含むことを特徴とする請求項１に記載のディスプレイ装置。
【請求項３】
前記コンテンツデータに含まれるオーディオデータを検出し、オーディオ信号を構成するオーディオ処理部と、
前記オーディオ信号を出力するオーディオ出力部と
を更に含み、
前記保存部は、コンテンツタイプ別にマッチするオーディオ設定情報を保存し、
前記オーディオ処理部は、前記保存部に保存されたオーディオ設定情報に対応する出力特性を有する前記オーディオ信号を構成することを特徴とする請求項１に記載のディスプレイ装置。
【請求項４】
前記第１タイプコンテンツは、動画コンテンツであることを特徴とする請求項１に記載のディスプレイ装置。
【請求項５】
ディスプレイ装置からコンテンツを提供する方法において、
外部映像装置から、コンテンツデータ及び前記コンテンツデータに関するコンテンツタイプ情報を受信するステップと、
前記コンテンツデータに基づいて映像フレームを獲得するステップと、
予め保存された前記コンテンツタイプ情報に対応するフレームサイズ情報を用いて、前記映像フレームのフレームサイズを調整してディスプレイ部に表示するステップと、
を含み、
前記表示するステップは、
前記コンテンツデータが第１タイプコンテンツである場合、前記映像フレームのフレームサイズが前記ディスプレイ部のディスプレイ領域より大きくなるようにサイズを調整し、前記ディスプレイ領域に前記調整された映像フレームの一部領域のみを表示する、ディスプレイ方法。
【請求項６】
設定命令を入力されるステップと、
前記設定命令が入力されると、コンテンツタイプ別にフレームサイズを設定するためのＵＩをディスプレイするステップと、
前記ＵＩ上においてフレーサイズが設定されると、前記設定されたフレームサイズ情報を保存するステップと
を更に含むことを特徴とする請求項５に記載のディスプレイ方法。
【請求項７】
前記コンテンツデータに含まれるオーディオデータを検出するステップと、
前記検出されたオーディオデータをオーディオ信号に変換するステップと、
前記オーディオ信号を出力するステップと
を更に含み、
前記オーディオ信号に変換するステップは、
予め保存されたオーディオ設定情報に対応する出力特性を有するオーディオ信号に変換することを特徴とする請求項５に記載のディスプレイ方法。
【請求項８】
前記第１タイプコンテンツは、動画コンテンツであることを特徴とする請求項５に記載のディスプレイ方法。
【発明の詳細な説明】
【技術分野】
【０００１】
本発明は、装置間のコンテンツ伝送およびコンテンツをディスプレイするための技術に関し、より詳細には、コンテンツのタイプに応じて、ディスプレイ画面上で最適の状態でコンテンツをディスプレイするためのディスプレイ装置、ソース装置および方法に関する。
【背景技術】
【０００２】
通常、デジタルテレビのようなディスプレイ装置は、セットトップボックスのようなソース装置或いはネットワークを通じて動画や、フォトや、ゲーム等のような多様なコンテンツを受信してディスプレイすることができる。
【０００３】
このような多様なコンテンツをディスプレイするディスプレイ装置は、コンテンツタイプによらず、受信されるコンテンツに対応するディスプレイを行う。このように、受信されるコンテンツのタイプを考慮せずに、コンテンツに対するディスプレイを行うことにより、ノイズの含まれたコンテンツが画面上にディスプレイされるという問題があった。
【０００４】
よって、各々のコンテンツが最適の画面サイズでディスプレイされるためには、ユーザが各々のコンテンツに対する画面サイズ設定を直接行わなければならないという不都合が生じる。このように、ディスプレイされるコンテンツタイプが変わる度に、毎回コンテンツタイプに適した画面サイズに設定を行わなければならないため、ユーザは一定の使用時間が経過すると、このような画面サイズ設定を行わずに視聴するようになってしまう。よって、ディスプレイ装置に対する活用度の側面でも限界が生じる。
【０００５】
更に、お年寄りや子供のユーザは、コンテンツタイプに対する基礎知識が足りなかったり、画面サイズ設定の操作に慣れていないことにより、各々のコンテンツに対して最適の状態で視聴することができなくなってしまう。
【先行技術文献】
【特許文献】
【０００６】
【特許文献１】韓国特開第２００５−００９６８８３号公報
【特許文献２】韓国登録特許第１０−０５６４３８８号
【特許文献３】韓国登録特許第１０−０６５３０９０号
【特許文献４】韓国特開第２００９−００４７６８９号公報
【発明の概要】
【発明が解決しようとする課題】
【０００７】
そこで、本発明は、上記問題に鑑みてなされたものであり、本発明の目的とするところは、ディスプレイ画面上にディスプレイされるコンテンツのタイプに応じて、コンテンツが最適の状態でディスプレイ画面上にディスプレイすることにある。
【課題を解決するための手段】
【０００８】
前記目的を達成するための本発明の一実施形態に係るディスプレイ装置は、コンテンツデータを受信する受信部と、コンテンツタイプ別にマッチするフレームサイズ情報が保存される保存部と、前記コンテンツデータに含まれたコンテンツタイプ情報を検出する検出部と、前記保存部に保存されたフレームサイズ情報を用いて、前記検出されたコンテンツタイプ情報に対応するフレームサイズを有するコンテンツフレームを構成するビデオ処理部と、前記ビデオ処理部において構成されたコンテンツフレームをディスプレイするディスプレイ部とを含む。
【０００９】
そして、設定命令を入力されるための入力部と、前記設定命令が入力されると、コンテンツタイプ別にフレームサイズを設定するためのＵＩをディスプレイするように前記ディスプレイ部を制御し、前記ＵＩ上においてフレーサイズが設定されると、設定されたフレームサイズ情報を前記保存部に保存する制御部とを更に含んでよい。
【００１０】
なお、前記コンテンツデータに含まれたオーディオデータを検出し、オーディオ信号を構成するオーディオ処理部と、前記オーディオ信号を出力するオーディオ出力部とを含み、前記保存部は、コンテンツタイプ別にマッチするオーディオ設定情報を保存し、前記オーディオ処理部は、前記保存部に保存されたオーディオ設定情報に対応する出力特性を有する前記オーディオ信号を構成してよい。
【００１１】
そして、前記ビデオ処理部は、前記コンテンツデータが動画コンテンツである場合、前記保存部に保存されたフレームサイズ情報に応じて、前記ディスプレイ部のディスプレイ画面サイズより大きいフレームサイズを有するコンテンツフレームを構成してよい。
【００１２】
なお、前記ビデオ処理部は、前記コンテンツデータがウェブページコンテンツである場合、前記保存部に保存されたフレームサイズ情報に応じて、前記ディスプレイ部のディスプレイ画面サイズと一致するフレームサイズを有するコンテンツフレームを構成してよい。
【００１３】
一方、前記目的を達成するための本発明の別の実施形態に係るディスプレイ装置からコンテンツを提供するソース装置において、前記ソース装置は、前記ディスプレイ装置の特性情報を受信するインターフェース部と、前記特性情報を用いて、前記ディスプレイ装置が前記コンテンツに対するフレームサイズ調整可否を判断する判断部と、前記ディスプレイ装置が前記フレームサイズ調整可能な状態と判断されると、前記コンテンツのタイプ情報を含むコンテンツデータを前記ディスプレイ装置に伝送するように前記インターフェース部を制御する制御部とを含む。
【００１４】
そして、前記コンテンツのフレームサイズを調整するコンテンツ処理部を更に含み、前記制御部は、前記ディスプレイ装置が前記フレームサイズ調整不可の状態と判断されると、前記ディスプレイ装置のディスプレイ画面サイズおよび前記コンテンツのタイプに応じて、前記コンテンツのフレームサイズを調整するように前記コンテンツ処理部を制御し、調整されたフレームサイズを有するコンテンツデータを前記インターフェース部を介して前記ディスプレイ装置に伝送してよい。
【００１５】
なお、前記制御部は、前記コンテンツのフレームサイズが調整された状態であることを報知するメッセージを、前記インターフェース部を介して前記ディスプレイ装置に伝送してよい。
【００１６】
一方、前記目的を達成するための本発明の別の実施形態に係るディスプレイ装置からコンテンツを提供する方法において、コンテンツデータを受信するステップと、前記コンテンツデータに含まれたコンテンツタイプ情報を検出するステップと、コンテンツタイプ別にマッチするフレームサイズ情報が保存される保存部から前記検出されたコンテンツタイプ情報に対応するフレームサイズを有するコンテンツフレームを構成するステップと、前記構成されたコンテンツフレームをディスプレイするステップとを含む。
【００１７】
そして、設定命令を入力されるステップと、前記設定命令が入力されると、コンテンツタイプ別にフレームサイズを設定するためのＵＩをディスプレイするステップと、前記ＵＩ上においてフレーサイズが設定されると、前記設定されたフレームサイズ情報を前記保存部に保存するステップとを更に含んでよい。
【００１８】
なお、前記コンテンツデータに含まれたオーディオデータを検出するステップと、前記検出されたオーディオデータをオーディオ信号に変換するステップと、前記オーディオ信号を出力するステップとを更に含み、前記オーディオ信号に変換するステップは、前記保存部に保存されたオーディオ設定情報に対応する出力特性を有するオーディオ信号に変換してよい。
【００１９】
そして、前記コンテンツフレームを構成するステップは、前記コンテンツデータが動画コンテンツである場合、前記保存部に保存されたフレームサイズ情報に応じて、前記ディスプレイ装置の画面サイズより大きいフレームサイズを有するコンテンツフレームを構成してよい。
【００２０】
なお、前記コンテンツフレームを構成するステップは、前記コンテンツデータがウェブページである場合、前記保存部に保存されたフレームサイズ情報に応じて、前記ディスプレイ装置の画面サイズと一致するフレームサイズを有するコンテンツフレームを構成してよい。
【００２１】
一方、前記目的を達成するための本発明の別の実施形態に係るソース装置からディスプレイ装置にコンテンツを提供する方法において、前記ソース装置は、前記ディスプレイ装置の特性情報を受信するステップと、前記特性情報を用いて、前記ディスプレイ装置が前記コンテンツに対するフレームサイズ調整可否を判断するステップと、前記ディスプレイ装置が前記フレームサイズ調整可能な状態と判断されると、前記コンテンツのタイプ情報を含むコンテンツデータを前記ディスプレイ装置に伝送するステップとを含む。
【００２２】
そして、前記ディスプレイ装置に伝送するステップは、前記ディスプレイ装置が前記フレームサイズ調整不可の状態と判断されると、前記ディスプレイ装置のディスプレイ画面サイズおよび前記コンテンツのタイプに応じて、前記コンテンツのフレームサイズを調整して前記ディスプレイ装置に伝送してよい。
【００２３】
なお、前記ディスプレイ装置に伝送するステップは、前記コンテンツのフレームサイズが調整された状態であることを報知するメッセージを含むコンテンツデータを伝送してよい。
【発明の効果】
【００２４】
以上説明したように、本発明によれば、ディスプレイ装置はコンテンツタイプに応じて、コンテンツの画面サイズを適応的に調整することにより、最適の状態でコンテンツをディスプレイすることができる。更に、本発明に係るソース装置は、ディスプレイ装置でコンテンツタイプ別の画面サイズ調整に関連するサポート可否に応じて、内部的にディスプレイ装置の画面サイズに適するようにコンテンツのフレームサイズを調整してディスプレイ装置に伝送することができる。このように、本発明に係るディスプレイ装置およびソース装置は、コンテンツタイプに応じてコンテンツの画面サイズを適応的に調整することにより、ユーザはコンテンツタイプが変更される度に当該コンテンツの画面サイズを調整しなれければならないという不都合を解消することができる。
【図面の簡単な説明】
【００２５】
【図１】本発明の一実施形態に係るディスプレイ装置のブロック図である。
【図２】本発明の一実施形態に係るディスプレイ装置においてフレームサイズ情報に応じて拡大されたサイズで動画コンテンツをディスプレイする例示図である。
【図３】本発明の一実施形態に係るディスプレイ装置にコンテンツを提供するソース装置のブロック図である。
【図４】本発明の一実施形態に係るディスプレイ装置でコンテンツを提供する方法のフローチャートである。
【図５】本発明の一実施形態に係るディスプレイ装置でコンテンツタイプ別のフレームサイズ情報を保存する方法のフローチャートである。
【図６】本発明の一実施形態に係るディスプレイ装置でコンテンツデータに含まれたオーディオデータを出力する方法のフローチャートである。
【図７】本発明の一実施形態に係るソース装置からディスプレイ装置にコンテンツを提供する方法のフローチャートである。
【発明を実施するための形態】
【００２６】
以下に添付図面を参照しながら、本発明の好適な実施形態について詳細に説明する。
【００２７】
図１は、本発明の一実施形態に係るディスプレイ装置のブロック図である。
【００２８】
図１に示すように、ディスプレイ装置は、受信部１１０と、検出部１２０と、保存部１３０と、ビデオ処理部１４１と、オーディオ処理部１４３と、ディスプレイ部１５０と、オーディオ出力部１６０と、入力部１７０および制御部１８０を含む。
【００２９】
受信部１１０は、コンテンツデータを受信し、検出部１２０は、受信部１１０を介して受信されたコンテンツデータに含まれたコンテンツタイプ情報を検出する。保存部１３０は、コンテンツタイプ別にマッチするフレームサイズ情報が保存され、ビデオ処理部１４１は、保存部１３０に保存されたフレームサイズ情報を用いて、検出部１２０を介して検出されたコンテンツタイプ情報に対応するフレームサイズを有するコンテンツフレームを構成する。ディスプレイ部１５０は、ビデオ処理部１４１を介してフレームサイズの調整されたコンテンツフレームをディスプレイする。
【００３０】
具体的に、受信部１１０は、セットトップボックスのようなソース装置、放送送信装置、インターネット端末装置のいずれか一つの装置から提供されるコンテンツデータを受信し、このようなコンテンツデータは、グラフィックやフォト、動画、ゲームに関連するコンテンツタイプであってよい。受信部１１０を介してグラフィックやフォト、動画、ゲームに関連するコンテンツタイプのいずれか一つのコンテンツタイプに対するコンテンツデータが受信されると、検出部１２０は受信されたコンテンツデータのコンテンツタイプ情報を検出する。具体的に、コンテンツデータには、ディスプレイ部１５０を介して画面にディスプレイされるコンテンツのコンテンツタイプ情報が含まれる。実施形態に応じて、ＨＤＭＩインターフェースを通じてソース装置からコンテンツデータを受信する場合、コンテンツタイプ情報を含むＡＶＩインフォフレーム（Ｉｎｆｏｆｒａｍｅ）がコンテンツデータに含まれてよい。よって、検出部１２０は、受信されたコンテンツデータからＡＶＩインフォフレームを獲得し、その獲得されたＡＶＩインフォフレームから画面上にディスプレイするコンテンツに対するコンテンツタイプ情報を検出することができる。
【００３１】
このように、検出部１２０を介してコンテンツタイプ情報が検出されると、ビデオ処理部１４１は、コンテンツタイプ別にマッチするフレームサイズ情報が保存される保存部１３０を参照して検出されたコンテンツタイプ情報に該当するフレームサイズ情報を獲得する。その後、ビデオ処理部１４１は、獲得したフレームサイズ情報に対応するフレームサイズを有するコンテンツフレームを構成する。ここで、保存部１３０に保存されるコンテンツタイプ別のフレームサイズ情報は、ユーザから設定されて保存される情報として、ディスプレイ装置は、入力部１７０および制御部１８０を介してユーザから設定されるコンテンツタイプ別のフレームサイズ情報を保存部１３０に保存してよい。
【００３２】
入力部１７０は、設定命令を入力されるものとして、このような設定命令が入力されると、制御部１８０はコンテンツタイプ別にフレームサイズを設定するためのＵＩ（Ｕｓｅｒ  Ｉｎｔｅｒｆａｃｅ）をディスプレイするようにディスプレイ部１５０を制御する。実施形態により、ユーザは動画コンテンツに対するフレームサイズの設定を要求することができる。このような動画コンテンツに対するフレームサイズ設定命令が入力部１７０を介して入力されると、制御部１８０は動画コンテンツに対するフレームサイズを設定するためのＵＩをディスプレイするようにディスプレイ部１５０を制御する。制御命令に従って、ディスプレイ部１５０は動画コンテンツに対するフレームサイズを設定するためのＵＩをディスプレイする。動画コンテンツに対するフレームサイズを設定するためのＵＩがディスプレイされた状態で、入力部１７０を介して動画コンテンツに対するフレームサイズ設定情報が入力されると、制御部１８０はユーザから入力された動画コンテンツタイプに対するフレームサイズ情報を保存部１３０に保存する。
【００３３】
このように、制御部１８０は、入力部１７０を介してユーザからコンテンツタイプ別にフレームサイズ設定情報が入力されると、その入力されたコンテンツタイプ別のフレームサイズ情報を保存部１３０に保存してよい。よって、ビデオ処理部１４１は、検出部１２０から検出されたコンテンツタイプ情報に関連するフレームサイズ情報を保存部１３０から獲得することができ、その獲得されたフレームサイズ情報に対応するフレームサイズを有するコンテンツフレームを構成することができる。
【００３４】
具体的に、コンテンツデータに含まれたコンテンツタイプ情報が動画コンテンツタイプであることが検出されると、ビデオ処理部１４１は保存部１３０に保存された動画コンテンツに対するフレームサイズ情報に応じて、ディスプレイ部１５０のディスプレイ画面サイズより大きいフレームを有するコンテンツフレームを構成することができる。よって、ディスプレイ部１５０は、図２に示すように、ディスプレイ画面上においてディスプレイされる実際の動画コンテンツよりサイズが拡大された動画コンテンツをディスプレイすることにより、ノイズが除去された動画コンテンツをディスプレイすることができる。
【００３５】
図２は、本発明の一実施形態に係るディスプレイ装置でフレームサイズ情報に応じて拡大されたサイズで動画コンテンツをディスプレイする例示図である。
【００３６】
図２の左側に示すように、ソース装置からコンテンツデータが受信されると、ビデオ処理部１４１は受信されたコンテンツデータからコンテンツフレームを構成する。コンテンツフレームが構成されると、ディスプレイ部１５０は当該コンテンツフレームをディスプレイすることにより、ディスプレイ画面２１０上には、動画コンテンツ２２０がディスプレイされてよい。しかし、ディスプレイ画面２１０上には、ディスプレイされる動画コンテンツ２２０の外郭領域ａはノイズを複数含んでおり、ユーザは最適の状態で動画コンテンツ２２０を視聴することができなくなる。よって、ビデオ処理部１４１は、動画コンテンツ２２０の外郭領域ａに含まれたノイズが除去されるように、動画コンテンツ２１０のコンテンツフレームをディスプレイ部１５０のディスプレイ画面２１０のサイズより大きいフレームサイズで構成する。よって、ディスプレイ部１５０は、図２の右側に示すように、ディスプレイ画面２１０上に動画コンテンツ２２０のノイズを含む外郭領域ａを除く残りの動画コンテンツ２２０をディスプレイすることができる。
【００３７】
実施形態によって、ユーザは０〜１０％の拡大範囲内で動画コンテンツ２２０が拡大されるように設定してよい。例えば、ユーザから０〜１０％の拡大範囲中の２％の拡大条件に対する設定命令が入力されると、制御部１８０は、２％の拡大条件に設定されたフレームサイズ情報を保存部１３０に保存する。よって、ビデオ処理部１４１は、２％の拡大条件に設定されたフレームサイズ情報に対応するように、動画コンテンツ２２０のコンテンツフレームを構成することができる。よって、ディスプレイ部１５０は、９８％サイズに該当するコンテンツフレームのみをディスプレイ画面２１０上にディスプレイする。よって、２％のサイズ分だけ拡大させた動画コンテンツ２２０の外郭領域はディスプレイ画面２１０上から除去されてよい。
【００３８】
一方、コンテンツデータに含まれたコンテンツタイプ情報がウェブページに関連するグラフィックコンテンツタイプであることが検出されると、ビデオ処理部１４１は保存部１３０に保存されたウェブページに関連するグラフィックに対するフレームサイズ情報に応じて、ディスプレイ部１５０のディスプレイ画面サイズと一致するフレームを有するコンテンツフレームを構成することができる。
【００３９】
実施形態によって、ユーザは０〜１００％の拡大範囲内でウェブページに関連するグラフィックコンテンツが拡大されるように設定することができる。ユーザから０〜１００％の拡大範囲中の１００％の拡大条件に対する設定命令が入力されると、制御部１８０は、１００％の拡大条件に設定されたフレームサイズ情報を保存部１３０に保存する。よって、ビデオ処理部１４１は、１００％の拡大条件に設定されたフレームサイズ情報に対応するように、ウェブページに関連するグラフィックコンテンツに対するコンテンツフレームを構成することができる。すなわち、ビデオ処理部１４１は、ウェブページに関連するグラフィックコンテンツの一側上段に形成されたウィンドウ制御アイコンの表示領域と、ディスプレイ画面の頂点領域とを参照して、ディスプレイ画面サイズと一致するフレームサイズを有するコンテンツフレームを構成することができる。よって、ディスプレイ装置１５０は、ウェブページに関連するグラフィックコンテンツをディスプレイ画面全体にディスプレイすることができる。
【００４０】
一方、本発明の更なる態様により、ディスプレイ装置は、オーディオ処理部１４３およびオーディオ出力部１６０を更に含む。オーディオ処理部１４３は、受信部１１０を介して受信されたコンテンツデータに含まれたオーディオデータを検出し、オーディオ信号を構成し、オーディオ出力部１６０はスピーカのような出力装置を通じてオーディオ処理部１４３から構成されたオーディオ信号を出力する。具体的に、オーディオ処理部１４３は、オーディオ設定情報が保存された保存部１３０からコンテンツデータに含まれたオーディオデータに関連するオーディオ設定情報を獲得する。その後、オーディオ処理部１４３は、予め獲得したオーディオ設定情報に対応する出力特性を有するオーディオ信号を構成することができる。
【００４１】
実施形態により、ユーザはオーディオタイプ別にオーディオ設定を要求することができる。例えば、ユーザはオーディオジャンル別、コンテンツタイプ別にオーディオ設定を要求したり、イコライザ（Ｅｑｕａｌｉｚｅｒ）調整に対する設定を要求することができる。このようなオーディオ設定命令が入力部１７０を介して入力されると、制御部１８０は、オーディオ設定のためのＵＩをディスプレイするようにディスプレイ部１５０を制御する。制御命令に従って、ディスプレイ部１５０はオーディオ設定のためのＵＩをディスプレイする。オーディオ設定のためのＵＩがディスプレイされた状態で、入力部１７０を介して、上述のように、オーディオジャンル別、コンテンツタイプ別或いはイコライザ調整に対する設定情報が入力されると、制御部１８０はユーザから入力されたオーディオ設定情報を保存部１３０に保存する。
【００４２】
よって、オーディオ処理部１４３は、受信されたコンテンツデータに含まれたオーディオデータが検出されると、その検出されたオーディオデータに関連するオーディオ設定情報を保存部１３０から獲得する。その後、オーディオ処理部１４３は予め獲得したオーディオ設定情報に対応するオーディオ信号が出力されるように構成してよい。よって、オーディオ出力部１６０は、オーディオ処理部１４３から構成されたオーディオ信号をスピーカのような出力装置を通じて出力することにより、ユーザはより多様なジャンル或いはオーディオ出力形態でオーディオを聴取することができる。
【００４３】
これまで、本発明に係るディスプレイ装置の各構成について詳細に説明した。以下では、本発明に係るソース装置からディスプレイ装置にコンテンツデータを伝送する動作について説明する。
【００４４】
図３は、本発明の一実施形態に係るディスプレイ装置にコンテンツを提供するソース装置のブロック図である。
【００４５】
図３に示すように、ソース装置は、インターフェース部３１０と、判断部３２０と、制御部３３０と、保存部３４０およびコンテンツ処理部３５０を含む。インターフェース部３１０は、ディスプレイ装置の特性情報を受信する。ここで、ディスプレイ装置の特性情報は、ディスプレイ装置においてコンテンツタイプ別に設定されたフレームサイズ情報、ディスプレイ装置の画面サイズ情報等を含んでよい。よって、このようなディスプレイ装置の特性情報が、インターフェース部３１０を介してディスプレイ装置から受信されると、制御部３３０は、受信されたディスプレイ装置の特性情報を保存部３４０に保存する。
【００４６】
判断部３２０は、保存部３４０に保存されたディスプレイ装置の特性情報を用いてディスプレイ装置に伝送するコンテンツに対するフレームサイズ調整可否を判断する。制御部３３０は、判断部３２０の判断結果、ディスプレイ装置が当該コンテンツに対するフレームサイズ調整が可能と判断されると、当該コンテンツに対するコンテンツタイプ情報を含むコンテンツデータをディスプレイ装置に伝送するように、インターフェース部３１０を制御する。ここで、コンテンツデータは、グラフィックやフォト、動画、ゲームに関連するコンテンツおよびオーディオコンテンツのいずれか一つのコンテンツであり、各コンテンツタイプ別のコンテンツタイプ情報を含むことが望ましい。
【００４７】
例えば、ユーザの要求により、インターフェース部３１０を介して動画コンテンツに対するコンテンツデータを伝送する場合、判断部３２０は保存部３４０に保存されたディスプレイ装置の特性情報を参照して、動画コンテンツに対するフレームサイズ情報があるかをチェックする。チェックの結果、動画コンテンツに対するフレームサイズ情報があるとチェックされると、判断部３２０は、ディスプレイ装置で動画コンテンツに対するフレームサイズ調整が可能と判断する。判断部３２０から動画コンテンツに対するフレームサイズ調整が可能と判断されると、制御部３３０は動画コンテンツに対するコンテンツタイプ情報を含むコンテンツデータをディスプレイ装置に伝送するように、インターフェース部３１０を制御する。実施形態により、ＨＤＭＩインターフェースを通じてディスプレイ装置にコンテンツデータを伝送する場合、制御部３３０はコンテンツタイプ情報を含むＡＶＩインフォフレーム（Ｉｎｆｏｆｒａｍｅ）をコンテンツデータに含めてよい。よって、ディスプレイ装置は、コンテンツデータに含まれたＡＶＩインフォフレームからディスプレイ画面に再生するコンテンツに対するコンテンツタイプ情報を検出してよい。
【００４８】
一方、本発明の更なる態様によると、ソース装置は、コンテンツのフレームサイズを調整するコンテンツ処理部３５０を更に含む。具体的に、判断部３２０からディスプレイ装置に伝送するコンテンツに対するフレームサイズ調整が不可な状態と判断されると、制御部３３０は、保存部３４０に予め保存されたディスプレイ装置の特性情報を参照して、ディスプレイ装置のディスプレイ画面サイズおよび当該コンテンツのタイプに応じてコンテンツのフレームサイズを調整するように、コンテンツ処理部３５０を制御する。このような制御命令に従って、コンテンツ処理部３５０から当該コンテンツのフレームサイズが調整されると、制御部３３０は、調整されたフレームサイズを有するコンテンツデータをインターフェース部３１０を介してディスプレイ装置に伝送するように制御する。
【００４９】
例えば、ディスプレイ装置で動画コンテンツに対するフレームサイズ調整が不可と判断されると、制御部３３０は、ディスプレイ装置のディスプレイ画面サイズおよび動画コンテンツのタイプに応じて、動画コンテンツのフレームサイズを調整するようにコンテンツ処理部３５０を制御する。このような制御命令に従って、コンテンツ処理部３５０はディスプレイ装置のディスプレイ画面サイズより大きいフレームを有するように、動画コンテンツのフレームサイズを調整することができる。すなわち、コンテンツ処理部３５０は、ディスプレイ装置のディスプレイ画面上でディスプレイされる動画コンテンツの全ディスプレイ領域のうち、予め設定された条件に該当する領域分だけディスプレイされるように、動画コンテンツのフレームサイズを拡大することができる。
【００５０】
このように、コンテンツ処理部３５０からコンテンツに対するフレームサイズが調整されると、制御部３３０は、当該コンテンツに対する調整されたフレームサイズを有するコンテンツデータをインターフェース部３１０を介してディスプレイ装置に伝送するように制御することができる。このように、ソース装置は、ディスプレイ装置のコンテンツタイプ別のフレームサイズ調整可否を判断して、フレームサイズ調整が不可なコンテンツの場合、内部的にディスプレイ装置の画面サイズに適するように当該コンテンツのフレームサイズを調整してディスプレイ装置に提供することができる。
【００５１】
一方、制御部３３０は、本発明の更なる態様により、コンテンツ処理部３５０からコンテンツに対するフレームサイズが調整されると、当該コンテンツのフレームサイズが調整された状態であることを報知するメッセージを含むコンテンツデータをインターフェース部３１０を介してディスプレイ装置に伝送するように制御してよい。このように、コンテンツのフレームサイズが調整された状態であることを報知するメッセージを含むコンテンツデータをディスプレイ装置に伝送することにより、ユーザはディスプレイ装置でディスプレイされるコンテンツがディスプレイ装置の画面に適するように調整されていることを確認することができる。
【００５２】
これまで、本発明に係るディスプレイ装置にコンテンツを提供するソース装置の各構成について詳細に説明した。以下では、上述のディスプレイ装置からコンテンツを提供する方法およびソース装置からディスプレイ装置にコンテンツを提供する方法について、詳細に説明する。
【００５３】
図４は、本発明の一実施形態に係るディスプレイ装置でコンテンツを提供する方法のフローチャートである。
【００５４】
図４に示すように、ディスプレイ装置は、セットトップボックスのようなソース装置、放送送信装置、インターネット端末装置の少なくともいずれか一つの装置から提供されるコンテンツデータを受信する（Ｓ４１０）。ここで、コンテンツデータは、グラフィックやフォト、動画、ゲームに関連するコンテンツタイプであってよい。このようなコンテンツのいずれか一つのコンテンツに対するコンテンツデータが受信されると、ディスプレイ装置は受信されたコンテンツデータに含まれたコンテンツタイプ情報があるかをチェックする（Ｓ４２０）。チェックの結果、コンテンツタイプ情報が含まれていないと、ディスプレイ装置は受信されたコンテンツデータからコンテンツフレームを構成して当該コンテンツフレームを画面上にディスプレイする。
【００５５】
一方、チェックの結果、コンテンツデータにコンテンツタイプ情報が含まれていると、ディスプレイ装置は、コンテンツデータに含まれたコンテンツタイプ情報を検出する（Ｓ４３０）。実施形態により、ＨＤＭＩインターフェースを通じてソース装置からコンテンツデータを受信する場合、コンテンツタイプ情報を含むＡＶＩインフォフレームがコンテンツデータに含まれてよい。よって、ディスプレイ装置は、受信されたコンテンツデータからＡＶＩインフォフレームを獲得し、その獲得したＡＶＩインフォフレームから画面上にディスプレイするコンテンツに対するコンテンツタイプ情報を検出することができる。
【００５６】
このように、受信されたコンテンツデータからコンテンツタイプ情報が検出されると、ディスプレイ装置はコンテンツタイプ別にマッチするフレームサイズ情報が保存される保存部から予め検出されたコンテンツタイプ情報に対応するフレームサイズを有するコンテンツフレームを構成する（Ｓ４４０）。ここで、保存部に保存されるコンテンツタイプ別のフレームサイズ情報は、ユーザから設定されて保存される情報として、図５のような方法を通じてコンテンツタイプ別のフレームサイズ情報が保存されてよい。
【００５７】
図５は、本発明の一実施形態に係るディスプレイ装置でコンテンツタイプ別のフレームサイズ情報を保存する方法のフローチャートである。
【００５８】
図５に示すように、ディスプレイ装置は、ユーザから設定命令を入力される（Ｓ５１０）。ユーザから設定命令が入力されると、ディスプレイ装置はコンテンツタイプ別にフレームサイズを設定するためのＵＩを画面上にディスプレイする（Ｓ５２０）。実施形態により、ユーザは動画コンテンツに対するフレームサイズの設定を要求することができる。このような動画コンテンツに対するフレームサイズ設定命令が入力されると、ディスプレイ装置は動画コンテンツに対するフレームサイズを設定するためのＵＩをディスプレイする。動画コンテンツに対するフレームサイズを設定するためのＵＩがディスプレイされた状態で、動画コンテンツに対するフレームサイズ設定情報が入力されると、ディスプレイ装置はユーザから入力された動画コンテンツタイプに対するフレームサイズ情報を保存部に保存する。
【００５９】
このように、ディスプレイ装置は、ユーザからコンテンツタイプ別にフレームサイズ設定情報が入力されると、その入力されたコンテンツタイプ別のフレームサイズ情報を保存部に保存することができる。このように、ユーザの要求により、コンテンツタイプ別のフレームサイズ情報が保存部に保存されると、ディスプレイ装置は、上述のステップＳ４４０を通じてコンテンツタイプ情報に関連するフレームサイズ情報を保存部から獲得し、その獲得したフレームサイズ情報に対応するフレームサイズを有するコンテンツフレームを構成することができる。
【００６０】
具体的に、受信されたコンテンツデータに含まれたコンテンツタイプ情報が動画コンテンツタイプであることが検出されると、ディスプレイ装置は、保存部に保存された動画コンテンツに対するフレームサイズ情報に応じて、ディスプレイ画面サイズより大きいフレームを有するコンテンツフレームを構成することができる。よって、ディスプレイ装置は、図２を通じて説明したように、実際のディスプレイ画面上にディスプレイされる動画コンテンツよりサイズが拡大された動画コンテンツをディスプレイすることにより、ノイズが除去された動画コンテンツをディスプレイすることができる。
【００６１】
実施形態により、ユーザは０〜１０％の拡大範囲内で動画コンテンツが拡大されるように設定してよい。例えば、ユーザから０〜１０％の拡大範囲中の２％の拡大条件に対する設定命令が入力されると、ディスプレイ装置は、２％の拡大条件に設定されたフレームサイズ情報を保存部に保存する。よって、ディスプレイ装置は、２％の拡大条件に設定されたフレームサイズ情報に対応するように、動画コンテンツのコンテンツフレームを構成することができる。よって、ディスプレイ装置は、９８％サイズに該当するコンテンツフレームのみをディスプレイ画面上にディスプレイすることができ、２％のサイズ分だけ拡大させた動画コンテンツの外郭領域はディスプレイ画面上から除去させることができる。
【００６２】
一方、受信されたコンテンツデータに含まれたコンテンツタイプ情報がウェブページに関連するグラフィックコンテンツタイプであることが検出されると、ディスプレイ装置は、保存部に保存されたウェブページに関連するグラフィックに対するフレームサイズ情報に応じて、ディスプレイ画面サイズと一致するフレームを有するコンテンツフレームを構成することができる。
【００６３】
実施形態によって、ユーザは０〜１００％の拡大範囲内でウェブページに関連するグラフィックコンテンツが拡大されるように設定することができる。ユーザから０〜１００％の拡大範囲中の１００％の拡大条件に対する設定命令が入力されると、ディスプレイ装置は、１００％の拡大条件に設定されたフレームサイズ情報を保存部に保存する。よって、ディスプレイ装置は、１００％の拡大条件に設定されたフレームサイズ情報に対応するように、ウェブページに関連するグラフィックコンテンツに対するコンテンツフレームを構成することができる。すなわち、ディスプレイ装置は、ウェブページに関連するグラフィックコンテンツの一側上段に形成されたウィンドウ制御アイコンの表示領域と、ディスプレイ画面の頂点領域とを参照して、ディスプレイ画面サイズと一致するフレームサイズを有するコンテンツフレームを構成することができる。よって、ディスプレイ装置は、ウェブページに関連するグラフィックコンテンツをディスプレイ画面全体にディスプレイすることができる。
【００６４】
このように、本発明に係るディスプレイ装置は、コンテンツデータに含まれたコンテンツタイプ情報に関連して設定されたフレーム設定情報に応じて、コンテンツの画面サイズを適応的に調整することにより、最適の状態でコンテンツをディスプレイすることができる。
【００６５】
一方、本発明に係るディスプレイ装置は、受信されたコンテンツデータにオーディオデータが含まれる場合、図６のような方法を通じて調整してよい。
【００６６】
図６は、本発明の一実施形態に係るディスプレイ装置でコンテンツデータに含まれたオーディオデータを出力する方法のフローチャートである。
【００６７】
図６に示すように、ディスプレイ装置は、上述のステップＳ４１０を通じてコンテンツデータが受信されると、受信されたコンテンツデータにオーディオデータが含まれているかを判断する。判断の結果、コンテンツデータにオーディオデータが含まれていると、ディスプレイ装置はコンテンツデータからオーディオデータを検出する（Ｓ６１０）。その後、ディスプレイ装置は、オーディオ設定情報が保存された保存部からコンテンツデータに含まれたオーディオデータに関連するオーディオ設定情報を獲得する。その後、ディスプレイ装置は、予め獲得したオーディオ設定情報に対応する出力特性を有するオーディオ信号に変換する（Ｓ６２０）。その後、ディスプレイ装置は、スピーカのような出力装置を通じてオーディオ信号を出力する（Ｓ６３０）。
【００６８】
実施形態により、ユーザはオーディオタイプ別にオーディオ設定を要求することができる。例えば、ユーザは、オーディオジャンル別、コンテンツタイプ別にオーディオの設定を要求したり、イコライザ調整に対する設定を要求することができる。このようなオーディオ設定命令が入力されると、上述のように、ディスプレイ装置は、オーディオ設定のためのＵＩをディスプレイする。オーディオ設定のためのＵＩがディスプレイされた状態で、ユーザから、オーディオジャンル別、コンテンツタイプ別或いはイコライザ調整に対する設定情報が入力されると、ディスプレイ装置はユーザから入力されたオーディオ設定情報を保存部に保存する。
【００６９】
よって、ディスプレイ装置は、受信されたコンテンツデータに含まれたオーディオデータが検出されると、その検出されたオーディオデータに関連するオーディオ設定情報を保存部から獲得し、その獲得したオーディオ設定情報に対応するオーディオ信号が出力されるように変換することができる。オーディオ設定情報に対応するオーディオ信号に変換されると、ディスプレイ装置は変換されたオーディオ信号をスピーカのような出力装置を通じて出力することにより、ユーザはより多様なジャンル或いはオーディオ出力形態でオーディオを聴取することができる。
【００７０】
これまで、本発明に係るディスプレイ装置からコンテンツを提供する方法について詳細に説明してきた。以下では、ソース装置からディスプレイ装置にコンテンツを提供する方法について詳細に説明することができる。
【００７１】
図７は、本発明の一実施形態に係るソース装置からディスプレイ装置にコンテンツを提供する方法のフローチャートである。
【００７２】
図７に示すように、ソース装置は、ディスプレイ装置からディスプレイ装置の特性情報を受信して保存する（Ｓ７１０）。ここで、ディスプレイ装置の特性情報は、ディスプレイ装置でコンテンツタイプ別に設定されたフレームサイズ情報、ディスプレイ装置の画面サイズ情報等を含んでよい。よって、ソース装置は、このようなディスプレイ装置の特性情報を最初のディスプレイ装置と接続したり、このような特性情報が新たに設定される度に受信することができる。このようなディスプレイ装置の特性情報がディスプレイ装置から受信されると、ソース装置は受信されたディスプレイ装置の特性情報を保存部に保存する。
【００７３】
その後、ソース装置は、ユーザの要求によるコンテンツをディスプレイ装置に伝送するために、保存部に予め保存されたディスプレイ装置の特性情報を用いてディスプレイ装置に伝送するコンテンツに対するフレームサイズ調整が可能かをチェックする（Ｓ７２０）。チェックの結果、ディスプレイ装置が当該コンテンツに対するフレームサイズ調整が可能とチェックされると、ソース装置は当該コンテンツに対するコンテンツタイプ情報を含むコンテンツデータをディスプレイ装置に伝送する（Ｓ７３０）。ここで、コンテンツデータは、グラフィックやフォト、動画、ゲームに関連するコンテンツおよびオーディオコンテンツのいずれか一つのコンテンツであり、各コンテンツタイプ別のコンテンツタイプ情報を含むことが望ましい。
【００７４】
例えば、ユーザの要求により、ディスプレイ装置に動画コンテンツに対するコンテンツデータを伝送する場合、ソース装置は保存部に予め保存されたディスプレイ装置の特性情報を参照して、動画コンテンツに対するフレームサイズ情報があるかをチェックする。チェックの結果、動画コンテンツに対するフレームサイズ情報があるとチェックされると、ソース装置は、ディスプレイ装置で動画コンテンツに対するフレームサイズ調整が可能と判断する。動画コンテンツに対するフレームサイズ調整が可能と判断されると、ソース装置は動画コンテンツに対するコンテンツタイプ情報を含むコンテンツデータをディスプレイ装置に伝送する。
【００７５】
実施形態により、ＨＤＭＩインターフェースを通じてディスプレイ装置にコンテンツデータを伝送する場合、ソース装置はコンテンツタイプ情報を含むＡＶＩインフォフレームをコンテンツデータに含めてよい。よって、ディスプレイ装置は、コンテンツデータに含まれたＡＶＩインフォフレームからディスプレイ画面に再生するコンテンツに対するコンテンツタイプ情報を検出することができる。
【００７６】
一方、ステップＳ７２０を介してディスプレイ装置に伝送するコンテンツに対するフレームサイズ調整が不可な状態とチェックされると、ソース装置はディスプレイ装置のディスプレイ画面サイズおよび当該コンテンツタイプに応じて、当該コンテンツのフレームサイズを調整してディスプレイ装置に伝送する（Ｓ７４０）。例えば、ディスプレイ装置で動画コンテンツに対するフレームサイズ調整が不可と判断されると、ソース装置は保存部に予め保存されたディスプレイ装置の特性情報を参照して、ディスプレイ装置のディスプレイ画面サイズおよび動画コンテンツのタイプに応じて動画コンテンツのフレームサイズを調整する。その後、ソース装置は、ディスプレイ装置のディスプレイ画面サイズより大きいフレームを有するように動画コンテンツのフレームサイズを調整することができる。すなわち、ソース装置は、ディスプレイ装置のディスプレイ画面上にディスプレイされる動画コンテンツの全ディスプレイ領域のうち、予め設定された条件に該当する領域分だけディスプレイされるように、動画コンテンツのフレームサイズを拡大することができる。
【００７７】
このように、コンテンツに対するフレームサイズが調整されると、ディスプレイ装置は当該コンテンツに対する調整されたフレームサイズを有するコンテンツデータをディスプレイ装置に伝送する。このように、ソース装置は、ディスプレイ装置のコンテンツタイプ別のフレームサイズ調整可否を判断し、フレームサイズ調整が不可なコンテンツの場合、内部的にディスプレイ装置の画面サイズに適するように当該コンテンツのフレームサイズを調整してディスプレイ装置に提供することができる。
【００７８】
一方、本発明の更なる態様におり、ソース装置は、コンテンツに対するフレームサイズが調整されると、当該コンテンツのフレームサイズが調整された状態であることを報知するメッセージをコンテンツデータに更に含めてディスプレイ装置に伝送することができる。このように、コンテンツのフレームサイズが調整された状態であることを報知するメッセージを含むコンテンツデータをディスプレイ装置に伝送することにより、ユーザはディスプレイ装置でディスプレイされるコンテンツがディスプレイ装置の画面に適するように調整されていることを確認することができる。
【００７９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006286130.tif 000002
【図２】
0006286130.tif 000003
【図３】
0006286130.tif 000004
【図４】
0006286130.tif 000005
【図５】
0006286130.tif 000006
【図６】
0006286130.tif 000007
【図７】
0006286130.tif 000008